(57)【特許請求の範囲】
【請求項１】
拡大側から順に、少なくとも１面が非球面からなる非球面レンズ、および縮小側に凹面を向けた負レンズの２枚のレンズからなる、負の屈折力を有する第１レンズ群と、拡大側に凸面を向けた１枚の正レンズよりなる第２レンズ群と、拡大側に凸面を向けた１枚の正レンズよりなる第３レンズ群と、拡大側に凹面を向けた負レンズからなる第４１レンズ、該第４１レンズとの間に負の空気レンズが形成されるように配置された第４２レンズ、および縮小側に凸面を向けた正レンズからなる第４３レンズの３枚のレンズを拡大側からこの順で配列された第４レンズ群と、拡大側に凸面を向けた１枚の正レンズよりなる第５レンズ群と、からなり、
変倍時には、前記第３レンズ群および前記第４レンズ群のみが光軸方向に移動するように構成されるとともに、縮小側が略テレセントリックに構成され、
さらに、以下の条件式（１）、（２）を満足するように構成されていることを特徴とする投写型ズームレンズ。
３．０≦｜ｆＧ１／ｆｗ｜・・・・・・・（１）
−２０．０≦ｆｎ／ｆｗ≦−０．５・・・・（２）
ただし、
ｆｗ ：広角端でのレンズ系全体の焦点距離
ｆＧ１：前記第１レンズ群中で最もパワーの絶対値が小さい非球面レンズの焦点
距離
ｆｎ ：前記空気レンズの焦点距離
【請求項２】
拡大側から順に、少なくとも１面が非球面からなる非球面レンズ、および縮小側に凹面を向けた負レンズの２枚のレンズからなる、負の屈折力を有する第１レンズ群と、拡大側に凸面を向けた１枚の正レンズよりなる第２レンズ群と、拡大側に凸面を向けた１枚の正レンズよりなる第３レンズ群と、拡大側に凹面を向けた負レンズからなる第４１レンズ、該第４１レンズとの間に負の空気レンズが形成されるように配置された第４２レンズ、および縮小側に凸面を向けた正レンズからなる第４３レンズの３枚のレンズを拡大側からこの順で配列された第４レンズ群と、拡大側に凸面を向けた１枚の正レンズよりなる第５レンズ群と、からなり、
変倍時には、前記第２レンズ群、第３レンズ群、および第４レンズ群のみが光軸方向に移動するように構成されるとともに、縮小側が略テレセントリックに構成され、
さらに、以下の条件式（１）、（２）を満足するように構成されていることを特徴とする投写型ズームレンズ。
３．０≦｜ｆＧ１／ｆｗ｜・・・・・・・（１）
−２０．０≦ｆｎ／ｆｗ≦−０．５・・・・（２）
ただし、
ｆｗ ：広角端でのレンズ系全体の焦点距離
ｆＧ１：前記第１レンズ群中で最もパワーの絶対値が小さい非球面レンズの焦点
距離
ｆｎ ：前記空気レンズの焦点距離
【請求項３】
下記条件式（３）〜（５）を満足することを特徴とする請求項１または２記載の投写型ズームレンズ。
−２．５≦ｆ１／ｆｗ≦−０．９・・・・（３）
０．９≦ｆ３／ｆｗ≦４．０・・・・・（４）
１．５≦ｆ５／ｆｗ≦５．０・・・・・（５）
ただし、
ｆ１:前記第１レンズ群の焦点距離
ｆ３:前記第３レンズ群の焦点距離
ｆ５:前記第５レンズ群の焦点距離
【請求項４】
変倍時には、前記第２レンズ群と前記第３レンズ群が一体となって光軸方向に移動するように構成されていることを特徴とする請求項２記載の投写型ズームレンズ。
【請求項５】
前記空気レンズが両凸形状とされていることを特徴とする請求項１から４のうちいずれか１項記載の投写型ズームレンズ。
【請求項６】
前記第４２レンズの拡大側が凹面で構成され、さらに以下の条件式（２´）を満足することを特徴とする請求項１から５のうちいずれか１項記載の投写型ズームレンズ。
−７．０≦ｆｎ／ｆｗ≦−０．５・・・・（２´）
【請求項７】
前記第４レンズ群の少なくとも１面が非球面で構成されたことを特徴とする請求項１から６のうちいずれか１項記載の投写型ズームレンズ。
【請求項８】
フォーカス調整は、前記第１レンズ群を光軸方向に移動させることにより行う構成とされていることを特徴とする請求項１から７のうちいずれか１項記載の投写型ズームレンズ。
【請求項９】
光源と、ライトバルブと、該光源からの光束を該ライトバルブへ導く照明光学部と、請求項１から８のうちいずれか１項記載の投写型ズームレンズとを備え、前記光源からの光束を前記ライトバルブで光変調し、前記投写型ズームレンズによりスクリーンに投写することを特徴とする投写型表示装置。
【発明の詳細な説明】
【技術分野】
【０００１】
本発明は、投写型表示装置等に搭載される５群で８枚構成の投写型ズームレンズおよびその投写型ズームレンズを搭載した投写型表示装置に関し、特に、透過型あるいは反射型の液晶表示装置やＤＭＤ（デジタル・マイクロミラー・デバイス）表示装置等のライトバルブからの映像情報を担持した光束をスクリーン上に拡大投影する投写型ズームレンズおよび投写型表示装置に関するものである。
【背景技術】
【０００２】
近年、液晶表示装置やＤＭＤ表示装置等のライトバルブを用いた投写型表示装置が広く普及しており、特に、このライトバルブを３枚用い、ＲＧＢ３原色の照明光に各々対応させるようにすることでこれら各照明光を変調し、個々のライトバルブで変調された光をプリズム等で合成し、投影レンズを介してスクリーンに画像を表示する構成をとるものが広く利用されている。
【０００３】
上述したライトバルブにおいては小型化・高精細化が急激に進み、また、パソコンの普及と相俟って、このような投写型表示装置を用いてプレゼンテーションを行うことの需要も増加しており、利便性や設置性のよい態様のものが望まれているため、投写型表示装置に対して、より高性能で、より小型・軽量なものへの要求が高まってきている。また、これに伴い投写レンズに関しても、より小型、軽量なものであることが強く望まれている。
【０００４】
このような要件を満たす投写型ズームレンズとしては、例えば５群、８枚レンズにより構成された、下記特許文献１、２に記載のものが知られている。すなわち、これらの投写型ズームレンズは、変倍時において第２、３、４の各レンズ群を光軸に沿って移動させ、その第３および/または第４のレンズ群には接合レンズが含まれており、色収差を補正するように配慮されている。
【０００５】
【特許文献１】特開２００４−１０９８９６号公報
【特許文献２】特開２００５−１５６９６３号公報
【発明の開示】
【発明が解決しようとする課題】
【０００６】
上述したように、上記特許文献１、２記載の投写型ズームレンズにおいては、小型、軽量との要求を満足し、また、色収差を良好に補正するための構成も施されている。
【０００７】
しかしながら、上記特許文献１、２記載の投写型ズームレンズのように構成された場合には、その他の諸収差、特に像面の倒れが大きいものとなっていたため、高精細な画像を投写した場合の再生画像における画質の劣化が顕著であった。
【０００８】
本発明は上記事情に鑑みなされたものであって、５群８枚のレンズ構成とされ、小型化、軽量化を図るとともに、諸収差、特に像面の倒れを良好に補正し得る投写型ズームレンズおよび投写型表示装置を提供することを目的とするものである。
【課題を解決するための手段】
【０００９】
本発明の投写型ズームレンズは、
拡大側から順に、少なくとも１面が非球面からなる非球面レンズ、および縮小側に凹面を向けた負レンズの２枚のレンズからなる、負の屈折力を有する第１レンズ群と、拡大側に凸面を向けた１枚の正レンズよりなる第２レンズ群と、拡大側に凸面を向けた１枚の正レンズよりなる第３レンズ群と、拡大側に凹面を向けた負レンズからなる第４１レンズ、該第４１レンズとの間に負の空気レンズが形成されるように配置された第４２レンズ、および縮小側に凸面を向けた正レンズからなる第４３レンズの３枚のレンズを拡大側からこの順で配列された第４レンズ群と、拡大側に凸面を向けた１枚の正レンズよりなる第５レンズ群と、からなり、
変倍時には、少なくとも前記第３レンズ群と前記第４レンズ群が光軸方向に移動するように構成されるとともに、縮小側が略テレセントリックに構成され、
さらに、以下の条件式（１）、（２）を満足するように構成されていることを特徴とするものである。
【００１０】
３．０≦｜ｆＧ１／ｆｗ｜・・・・・・・（１）
−２０．０≦ｆｎ／ｆｗ≦−０．５・・・・（２）
ただし、
ｆｗ  ：広角端でのレンズ系全体の焦点距離
ｆＧ１：前記第１レンズ群中で最もパワーの絶対値が小さい非球面レンズの焦点
距離
ｆｎ  ：前記空気レンズの焦点距離
【００１１】
また、下記条件式（３）〜（５）を満足することが好ましい。
−２．５≦ｆ１／ｆｗ≦−０．９・・・・（３）
０．９≦ｆ３／ｆｗ≦４．０・・・・・（４）
１．５≦ｆ５／ｆｗ≦５．０・・・・・（５）
ただし、
ｆ１:前記第１レンズ群の焦点距離
ｆ３:前記第３レンズ群の焦点距離
ｆ５:前記第５レンズ群の焦点距離
【００１２】
また、変倍時には、第３レンズ群および第４レンズ群のみが光軸方向に移動するように構成することができる。
【００１３】
一方、変倍時には、第２レンズ群、第３レンズ群および第４レンズ群のみが光軸方向に移動するように構成することもできる。この場合において、第２レンズ群と第３レンズ群が一体となって光軸方向に移動するように構成することが可能である。
【００１４】
また、前記空気レンズが両凸形状とされていることが好ましい。
【００１５】
また、前記第４２レンズの拡大側が凹面で構成され、さらに以下の条件式（２´）を満足することが好ましい。
−７．０≦ｆｎ／ｆｗ≦−０．５・・・・（２´）
【００１６】
また、前記第４レンズ群の少なくとも１面を非球面で構成することが好ましい。
【００１７】
さらに、フォーカス調整は、前記第１レンズ群を光軸方向に移動させることにより行う構成とすることが好ましい。
【００１８】
また、本発明の投写型表示装置は、光源と、ライトバルブと、該光源からの光束を該ライトバルブへ導く照明光学部と、上述したいずれかの投写型ズームレンズとを備え、前記光源からの光束を前記ライトバルブで光変調し、前記投写型ズームレンズによりスクリーンに投写することを特徴とするものである。
【発明の効果】
【００１９】
本発明の投写型ズームレンズおよびこれを用いた投写型表示装置によれば、全体を５群で８枚のレンズにより簡易に構成しており、小型、軽量化の達成が容易である。また、第４レンズ群を、第４１レンズ、第４２レンズおよび第４３レンズの３枚により構成し、この第４１レンズと第４２レンズとの間に負の空気レンズが形成されるように構成しており、かつこの空気レンズの焦点距離（パワー）を、上式（２）により所定範囲内に規定しているので、特に像面の倒れを良好に補正することが可能である。
【発明を実施するための最良の形態】
【００２０】
以下、本発明の具体的な実施形態について図面を参照しつつ説明する。図１に示す実施形態（実施例１のものを代表させて示している）の投写型ズームレンズは、拡大側から順に、負の屈折力を有する第１レンズ群Ｇ１、各々正の屈折力を有する第２レンズ群Ｇ２〜第５レンズ群Ｇ５を備え、縮小側が略テレセントリックに構成されており、その後段には、色合成プリズムを主とするガラスブロック（フィルタ部を含む）２および液晶表示パネル等ライトバルブの画像表示面１が配設される。なお、図中Ｘは光軸を表している。
【００２１】
ここで第１レンズ群Ｇ１は、縮小側に凹面を向けた負レンズよりなる第１レンズＬ１、および少なくとも１面が非球面からなる非球面レンズ（プラスチック製）よりなる第２レンズＬ２からなる（なお、実施例３〜６においては、少なくとも１面が非球面からなるプラスチック非球面レンズよりなる第１レンズＬ１、および縮小側に凹面を向けた負レンズよりなる第２レンズＬ２からなる）。また、第２レンズ群Ｇ２は、拡大側に凸面を向けた正レンズよりなる第３レンズＬ３のみからなる。また、第３レンズ群Ｇ３は、拡大側に凸面を向けた正レンズよりなる第４レンズＬ４のみからなる。また、第４レンズ群Ｇ４は、拡大側に凹面を向けた負レンズよりなる第５レンズＬ５、レンズとの間に負の空気レンズが形成されるように配置された正レンズよりなる第６レンズＬ６、および縮小側に凸面を向けた正レンズよりなる第７レンズＬ７からなる。また、第５レンズ群Ｇ５は、拡大側に凸面を向けた正レンズよりなる第８レンズＬ８のみからなる。このように構成された結果、第４レンズ群Ｇ４を構成する第５レンズＬ５と第６レンズＬ６との間には、負の空気レンズが形成されることになる。
【００２２】
このように、第４レンズ群Ｇ４における、第５レンズＬ５と第６レンズＬ６との間に負の空気レンズを形成することにより、また、下記条件式（２）の範囲を満足することにより、像面の倒れを補正することが可能となる。
【００２３】
なお、この負の空気レンズは、両凸形状とされた場合に、その補正機能がより向上するものである。さらに、この負の空気レンズが瞳の近傍に配される場合には、その補正機能がより向上するものである。本実施形態においては、瞳が、第３レンズ群Ｇ３と第４レンズ群Ｇ４の間（実施例１、２）、または第４レンズ群Ｇ４に近接配置された第３レンズ群Ｇ３の拡大側（実施例３〜６）の位置付近に設定されることになるので、この負の空気レンズが瞳の近傍に配されるように構成されていることになる。
【００２４】
また、ズーミング時において、第３レンズ群Ｇ３と一体的に開口絞り３（マスクとすることも可）が移動するように構成されていることが好ましい（実施例１〜５に対応）。
【００２５】
本実施形態の投写型ズームレンズにおいては、上述したように、ネガティヴリード型のズームレンズとされているため、広角化を図り易く、また適正な長さのバックフォーカスを確保することが可能である。
【００２６】
また、本実施形態の投写型ズームレンズは、変倍時において、少なくとも２つのレンズ群（実施例１では、第３レンズ群Ｇ３および第４レンズ群Ｇ４、実施例２〜６では、第２レンズ群Ｇ２、第３レンズ群Ｇ３および第４レンズ群Ｇ４（そのうち実施例３〜５では、第２レンズ群Ｇ２と第３レンズ群Ｇ３が一体的に移動する））を光軸方向に移動させることにより、ズーム機能を有する構成とされている。変倍時の移動群を第３レンズ群Ｇ３および第４レンズ群Ｇ４の２つのレンズ群とすることにより、鏡胴の簡略化等を図ることができ、系全体としてコストの低減およびコンパクト化を図ることができる。一方、移動群を、第２レンズ群Ｇ２、第３レンズ群Ｇ３および第４レンズ群Ｇ４の３つのレンズ群とすることにより、収差補正をより良好なものとすることができる。この場合において、第２レンズ群Ｇ２と第３レンズ群Ｇ３を一体的に移動させることにより、移動群を２つのレンズ群とした場合と、移動群を３つのレンズ群とした場合の、両者の利点を有する系とすることができる。
【００２７】
また、広角端から望遠端への変倍に際し、移動レンズ群は、いずれも拡大側に移動するように構成することが好ましい。本実施形態のものでは、このように構成することにより、より変倍比を大きく設定することが可能となる。
【００２８】
ただし、これは、上記移動レンズ群の各々について、広角端での位置よりも望遠端での位置の方が、より拡大側に設定されていることを意味しているのであって、中間領域において一旦縮小側に移動することを排除するものではない。
【００２９】
また、フォーカス調整は、第１レンズ群Ｇ１を光軸方向に移動させることにより行われる。
【００３０】
また、本実施形態に係る投写型ズームレンズは、下記条件式（１）、（２）を満足するように構成されている。
３．０≦｜ｆＧ１／ｆｗ｜・・・・・・・（１）
−２０．０≦ｆｎ／ｆｗ≦−０．５・・・・（２）
ただし、
ｆｗ  ：広角端でのレンズ系全体の焦点距離
ｆＧ１：前記第１レンズ群Ｇ１中で最もパワーの絶対値が小さい非球面レンズの
焦点距離
ｆｎ  ：空気レンズの焦点距離
【００３１】
さらに、下記条件式（３）〜（５）を満足することが好ましい。
−２．５≦ｆ１／ｆｗ≦−０．９・・・・（３）
０．９≦ｆ３／ｆｗ≦４．０・・・・・（４）
１．５≦ｆ５／ｆｗ≦５．０・・・・・（５）
ただし、
ｆ１:第１レンズ群Ｇ１の焦点距離
ｆ３:第３レンズ群Ｇ３の焦点距離
ｆ５:第５レンズ群Ｇ５の焦点距離
【００３２】
ここで、上述した条件式（１）〜（５）の技術的意義について説明する。
まず、条件式（１）は、第１レンズ群Ｇ１の構成レンズにプラスチックレンズを用いたとしても、温度変化による影響を最小限とし得る第１レンズ群Ｇ１のパワーの範囲を規定したものである。すなわち、条件式（１）の下限を下回った場合は、第１レンズ群Ｇ１のパワーが強くなりすぎ、第１レンズ群Ｇ１の構成レンズとしてプラスチックなどの材料を用いると温度変化による影響が問題となる。
【００３３】
また、条件式（２）は、収差補正を良好なものとし得る上記空気レンズのパワーの範囲を規定するものである。すなわち、条件式（２）の下限を下回った場合は、収差補正、特にサジタル方向の像面補正が困難となる。一方、その上限を上回った場合は、収差補正、特にコマ収差の補正が困難となる。
【００３４】
なお、条件式（２）に替えて、下記条件式（２´）を満足するように設定することにより、上記収差補正の作用効果がより良好なものとなる。
−７．０≦ｆｎ／ｆｗ≦−０．５・・・・（２´）
【００３５】
さらに、条件式（２´）に替えて、下記条件式（２´´）を満足するように設定することにより、上記収差補正の作用効果が極めて良好なものとなる。
−５．０≦ｆｎ／ｆｗ≦−０．５・・・・（２´´）
【００３６】
また、条件式（３）は、収差補正を良好なものとし、かつレンズバックを適切な長さとし得る範囲を規定するものである。すなわち、条件式（３）の下限を下回った場合は、
レンズバックが短くなりすぎ、色合成部等の挿入が困難となる。一方、その上限を上回った場合は、収差補正が困難となり、またレンズバックが長くなりすぎ、系が大型化してしまう。
【００３７】
また、条件式（４）は、収差補正を良好なものとし、かつ系のコンパクト化を図り得る範囲を規定するものである。すなわち、条件式（４）の下限を下回った場合は、収差補正が困難となる。一方、その上限を上回った場合は、レンズの移動量が大きくなりすぎ、系が大型化してしまう。
【００３８】
また、条件式（５）も、収差補正を良好なものとし、かつ系のコンパクト化を図り得る範囲を規定するものである。すなわち、条件式（５）の下限を下回った場合は、収差補正が困難となる。一方、その上限を上回った場合は、レンズバックが長くなりすぎ、系が大型化してしまう。
【００３９】
ここで、下記各実施例の投写型ズームレンズは、いずれも非球面レンズを含むものであり、その非球面形状は下記非球面式により表わされる。
【００４０】
【数１】
0005101959.tif 000002
【００４１】
次に、上述した投写型ズームレンズを搭載した投写型表示装置の一例を図１３により説明する。図１３に示す投写型表示装置は、ライトバルブとして透過型液晶パネル１１ａ〜ｃを備え、投写型ズームレンズ１０として上述した実施形態に係る投写型ズームレンズを用いている。また、光源２０とダイクロイックミラー１２の間には、フライアイ等のインテグレータ（図示を省略）が配されており、光源２０からの白色光は照明光学部を介して、３つの色光光束（Ｇ光、Ｂ光、Ｒ光）にそれぞれ対応する液晶パネル１１ａ〜ｃに入射されて光変調され、クロスダイクロイックプリズム１４により、色合成され投写型ズームレンズ１０により図示されないスクリーン上に投影される。この装置は、色分解のためのダイクロイックミラー１２、１３、色合成のためのクロスダイクロイックプリズム１４、コンデンサレンズ１６ａ〜ｃ、全反射ミラー１８ａ〜ｃを備えている。本実施形態の投写型表示装置は、本実施形態に係る投写型ズームレンズを用いているので、広角、かつ投写画像の画質が良好であり、明るく、小型かつ軽量な投写型表示装置とすることができる。
【００４２】
なお、本発明の投写型ズームレンズは透過型の液晶表示パネルを用いた投写型表示装置の投写型ズームレンズとしての使用態様に限られるものではなく、反射型の液晶表示パネルあるいはＤＭＤ等の他の光変調手段を用いた装置の投写型ズームレンズ等として用いることも可能である。
【００４３】
また、図１４（Ａ）、（Ｂ）に示すように、いずれかの透過型液晶パネル１１ａ〜ｃとクロスダイクロイックプリズム１４との間に、倍率色補正手段として機能する、正レンズ１５ａまたは負レンズ１５ｂを挿入することにより、ズームレンズのみによっては補正が困難な場合においても系全体としての倍率色収差を補正することが可能である。
【実施例】
【００４４】
以下、具体的な実施例を用いて、本発明の投写型ズームレンズをさらに説明する。
＜実施例１＞
この実施例１にかかる投写型ズームレンズは、前述したように図１に示す如き構成とされている。すなわちこの投写型ズームレンズは、拡大側から順に、第１レンズ群Ｇ１が、縮小側に凹面を向けた負のメニスカスレンズよりなる第１レンズＬ１と両面が非球面からなる非球面レンズよりなる第２レンズＬ２とからなる。また、第２レンズ群Ｇ２は、両凸レンズよりなる第３レンズＬ３のみからなる。また、第３レンズ群Ｇ３は、両凸レンズよりなる第４レンズＬ４のみからなる。また、第４レンズ群Ｇ４は、両凹レンズよりなる第５レンズＬ５、該第５レンズＬ５との間に負の空気レンズが形成されるように配置された、縮小側に凸面を向けた正のメニスカスレンズよりなる第６レンズＬ６、および縮小側に凸面を向けた正のメニスカスレンズよりなる第７レンズＬ７からなる。また、第５レンズ群Ｇ５は、両凸レンズよりなる第８レンズＬ８のみからなる。なお、開口絞り３が第３レンズ群Ｇ３と第４レンズ群Ｇ４との間に配されており、第３レンズ群Ｇ３と一体的に移動するように構成されている。また、開口絞り３に替えて、または開口絞り３と共にマスクが配設されていても良い。
【００４５】
また、変倍時には、広角端から望遠端への移行に伴い、第３レンズ群Ｇ３および第４レンズ群Ｇ４が、互いに独立して拡大側に移動する。
【００４６】
また、フォーカス調整は、第１レンズ群Ｇ１を光軸方向に移動させることにより行われる。
【００４７】
この実施例１における各レンズ面の曲率半径Ｒ（レンズ全系の焦点距離を1.0として規格化されている；以下の各表において同じ）、各レンズの中心厚および各レンズ間の空気間隔Ｄ（上記曲率半径Ｒと同様に規格化されている；以下の各表において同じ）、各レンズのｄ線における屈折率Ｎｄおよびアッベ数νｄを表１の上段に示す。なお、この表１および後述する表２〜６において、各記号Ｒ、Ｄ、Ｎｄ、νｄに対応させた数字は拡大側から順次増加するようになっている。
【００４８】
また、表１の中段には各非球面に対応する各定数Ｋ、Ａ３〜Ａ１２の値が示されており、表１の下段には、広角端（ワイド）および望遠端（テレ）の各場合における、可変間隔１（第２レンズ群Ｇ２と第３レンズ群Ｇ３との間隔）、可変間隔２（第３レンズ群Ｇ３と第４レンズ群Ｇ４との間隔）および可変間隔３（第４レンズ群Ｇ４と第５レンズ群Ｇ５との間隔）が示されている。
【００４９】
【表１】
0005101959.tif 000003
【００５０】
また、表７に実施例１における上記各条件式に対応する数値を示す。
【００５１】
図７は実施例１の投写型ズームレンズの広角端（ワイド）および望遠端（テレ）における諸収差（球面収差、非点収差、ディストーションおよび倍率色収差）を示す収差図である。なお、図７および以下の図８〜１２において、各球面収差図にはｄ線、Ｆ線、Ｃ線の光に対する収差が示されており、各非点収差図にはサジタル像面およびタンジェンシャル像面についての収差が示されており、各倍率色収差図にはｄ線の光に対するＦ線およびＣ線の光についての収差が示されている。
【００５２】
この図７から明らかなように、実施例１の投写型ズームレンズによれば、広角端での画角２ωが５９．６度と広角で、Ｆ値が２．５０と明るく、各収差、特に像面の倒れが良好に補正されている。
【００５３】
また、表７に示すように実施例１の投写型ズームレンズによれば、条件式（１）〜（５）が満足され、さらに条件式（２´）についても満足されている。
【００５４】
＜実施例２＞
実施例２に係る投写型ズームレンズの概略構成を図２に示す。この実施例２にかかる投写型ズームレンズは、実施例１のものと略同様の構成とされているが、主として、第２レンズ群Ｇ２を構成する第３レンズＬ３が凸面を拡大側に向けた正のメニスカスレンズよりなり、第４レンズ群Ｇ４を構成する第７レンズＬ７が両凸レンズよりなり、さらに、変倍時において、広角端から望遠端への移動に伴い、第２レンズ群Ｇ２、第３レンズ群Ｇ３および第４レンズ群Ｇ４が、互いに独立して拡大側に移動する点において相違している。
【００５５】
この実施例２における各レンズ面の曲率半径Ｒ、各レンズの中心厚および各レンズ間の空気間隔Ｄ、各レンズのｄ線における屈折率Ｎｄおよびアッベ数νｄを表２に示す。
【００５６】
また、表２の中段には各非球面に対応する各定数Ｋ、Ａ３〜Ａ１２の値が示されており、表２の下段には、広角端（ワイド）および望遠端（テレ）の各場合における、可変間隔１（第１レンズ群Ｇ１と第２レンズ群Ｇ２との間隔）、可変間隔２（第２レンズ群Ｇ２と第３レンズ群Ｇ３との間隔）、可変間隔３（第３レンズ群Ｇ３と第４レンズ群Ｇ４との間隔）および可変間隔４（第４レンズ群Ｇ４と第５レンズ群Ｇ５との間隔）が示されている。
【００５７】
【表２】
0005101959.tif 000004
【００５８】
また、表７に実施例２における上記各条件式に対応する数値を示す。
【００５９】
図８は実施例２の投写型ズームレンズの広角端（ワイド）および望遠端（テレ）における諸収差（球面収差、非点収差、ディストーションおよび倍率色収差）を示す収差図である。
【００６０】
この図８から明らかなように、実施例２の投写型ズームレンズによれば、広角端での画角２ωが５９．６度と広角で、Ｆ値が２．５０と明るく、各収差、特に像面の倒れが良好に補正されている。
【００６１】
また、表７に示すように実施例２の投写型ズームレンズによれば、条件式（１）〜（５）が満足され、さらに条件式（２´）についても満足されている。
【００６２】
＜実施例３＞
実施例３に係る投写型ズームレンズの概略構成を図３に示す。この実施例３にかかる投写型ズームレンズは、実施例１のものとは略同様の構成とされているが、主として、第１レンズ群Ｇ１が、両面が非球面からなるプラスチック非球面レンズよりなる第１レンズＬ１と両凹レンズよりなる第２レンズＬ２とからなり、第４レンズ群Ｇ４を構成する第７レンズＬ７が両凸レンズよりなり、第５レンズ群Ｇ５を構成する第８レンズＬ８が拡大側に凸面を向けた正のメニスカスレンズよりなる点において相違している。さらに、開口絞り３が第３レンズ群Ｇ３と一体的に移動するように構成されている点では実施例１のものと同様であるが、第３レンズ群Ｇ３と第２レンズ群Ｇ２との間に配されている点において相違している。また、第２レンズ群Ｇ２と第３レンズ群Ｇ３が一体的に移動する点においても相違している。
【００６３】
この実施例３における各レンズ面の曲率半径Ｒ、各レンズの中心厚および各レンズ間の空気間隔Ｄ、各レンズのｄ線における屈折率Ｎｄおよびアッベ数νｄを表３に示す。
【００６４】
また、表３の中段には各非球面に対応する各定数Ｋ、Ａ３〜Ａ１２の値が示されており、表３の下段には、広角端（ワイド）および望遠端（テレ）の各場合における、可変間隔１（第１レンズ群Ｇ１と第２レンズ群Ｇ２との間隔）、可変間隔２（第３レンズ群Ｇ３と第４レンズ群Ｇ４との間隔）および可変間隔３（第４レンズ群Ｇ４と第５レンズ群Ｇ５との間隔）が示されている。
【００６５】
【表３】
0005101959.tif 000005
【００６６】
また、表７に実施例３における上記各条件式に対応する数値を示す。
【００６７】
図９は実施例３の投写型ズームレンズの広角端（ワイド）および望遠端（テレ）における諸収差（球面収差、非点収差、ディストーションおよび倍率色収差）を示す収差図である。
【００６８】
この図９から明らかなように、実施例３の投写型ズームレンズによれば、広角端での画角２ωが５９．４度と広角で、Ｆ値が２．０１と明るく、各収差、特に像面の倒れが良好に補正されている。
【００６９】
また、表７に示すように実施例３の投写型ズームレンズによれば、条件式（１）〜（５）が満足され、さらに条件式（２´）、（２´´）についても満足されている。
【００７０】
＜実施例４＞
実施例４に係る投写型ズームレンズの概略構成を図４に示す。この実施例４にかかる投写型ズームレンズは、実施例３のものとは略同様の構成とされているが、主として、第４レンズ群Ｇ４を構成するレンズのうち、第６レンズＬ６が縮小側に凸面を向けた負のメニスカスレンズよりなり、第７レンズＬ７が縮小側に凸面を向けた正のメニスカスレンズよりなり、第５レンズ群Ｇ５を構成する第８レンズＬ８が両凸レンズよりなる点において相違している。また、第２レンズ群Ｇ２と第３レンズ群Ｇ３が一体的に移動する点においても相違している。
【００７１】
この実施例４における各レンズ面の曲率半径Ｒ、各レンズの中心厚および各レンズ間の空気間隔Ｄ、各レンズのｄ線における屈折率Ｎｄおよびアッベ数νｄを表４に示す。
【００７２】
また、表４の中段には各非球面に対応する各定数Ｋ、Ａ３〜Ａ１２の値が示されており、表４の下段には、広角端（ワイド）および望遠端（テレ）の各場合における、可変間隔１（第１レンズ群Ｇ１と第２レンズ群Ｇ２との間隔）、可変間隔２（第３レンズ群Ｇ３と第４レンズ群Ｇ４との間隔）および可変間隔３（第４レンズ群Ｇ４と第５レンズ群Ｇ５との間隔）が示されている。
【００７３】
【表４】
0005101959.tif 000006
【００７４】
また、表７に実施例４における上記各条件式に対応する数値を示す。
【００７５】
図１０は実施例４の投写型ズームレンズの広角端（ワイド）および望遠端（テレ）における諸収差（球面収差、非点収差、ディストーションおよび倍率色収差）を示す収差図である。
【００７６】
この図１０から明らかなように、実施例４の投写型ズームレンズによれば、広角端での画角２ωが５９．８度と広角で、Ｆ値が１．８０と明るく、各収差、特に像面の倒れが良好に補正されている。
【００７７】
また、表７に示すように実施例４の投写型ズームレンズによれば、条件式（１）〜（５）が満足され、さらに条件式（２´）、（２´´）についても満足されている。
【００７８】
＜実施例５＞
実施例５に係る投写型ズームレンズの概略構成を図５に示す。この実施例５にかかる投写型ズームレンズは、実施例３のものとは略同様の構成とされているが、主として、第４レンズ群Ｇ４を構成するレンズのうち、第６レンズＬ６が両面非球面レンズよりなり、第７レンズＬ７が縮小側に凸面を向けた正のメニスカスレンズよりなり、第５レンズ群Ｇ５を構成する第８レンズＬ８が両凸レンズよりなる点において相違している。また、開口絞り３の他に、第２レンズ群Ｇ２の縮小側において、この第２レンズ群Ｇ２と一体的に移動するマスク４を配置した構成とされている点において相違している。また、第２レンズ群Ｇ２と第３レンズ群Ｇ３が一体的に移動する点においても相違している。
【００７９】
この実施例５における各レンズ面の曲率半径Ｒ、各レンズの中心厚および各レンズ間の空気間隔Ｄ、各レンズのｄ線における屈折率Ｎｄおよびアッベ数νｄを表５に示す。
【００８０】
また、表５の中段には各非球面に対応する各定数Ｋ、Ａ３〜Ａ１２の値が示されており、表５の下段には、広角端（ワイド）および望遠端（テレ）の各場合における、可変間隔１（第１レンズ群Ｇ１と第２レンズ群Ｇ２との間隔）、可変間隔２（第３レンズ群Ｇ３と第４レンズ群Ｇ４との間隔）および可変間隔３（第４レンズ群Ｇ４と第５レンズ群Ｇ５との間隔）が示されている。
【００８１】
【表５】
0005101959.tif 000007
【００８２】
また、表７に実施例５における上記各条件式に対応する数値を示す。
【００８３】
図１１は実施例５の投写型ズームレンズの広角端（ワイド）および望遠端（テレ）における諸収差（球面収差、非点収差、ディストーションおよび倍率色収差）を示す収差図である。
【００８４】
この図１１から明らかなように、実施例５の投写型ズームレンズによれば、広角端での画角２ωが５９．６度と広角で、Ｆ値が１．８０と明るく、各収差、特に像面の倒れが良好に補正されている。
【００８５】
また、表７に示すように実施例５の投写型ズームレンズによれば、条件式（１）〜（５）が満足され、さらに条件式（２´）、（２´´）についても満足されている。
【００８６】
＜実施例６＞
実施例６に係る投写型ズームレンズの概略構成を図６に示す。この実施例６にかかる投写型ズームレンズは、実施例３のものと略同様の構成とされているが、主として、第４レンズ群Ｇ４を構成するレンズのうち、第６レンズＬ６が両面非球面レンズよりなり、第７レンズＬ７が縮小側に凸面を向けた正のメニスカスレンズよりなり、第５レンズ群Ｇ５を構成する第８レンズＬ８が両凸レンズよりなる点において相違している。また、変倍時において、広角端から望遠端への移動に伴い、第２レンズ群Ｇ２、第３レンズ群Ｇ３および第４レンズ群Ｇ４が、互いに独立して拡大側に移動する点において相違している。さらに、開口絞り３が、第２レンズ群Ｇ２の縮小側近傍に配されており、第２レンズ群Ｇ２と一体的に移動するように構成されている。
【００８７】
また、表６の中段には各非球面に対応する各定数Ｋ、Ａ３〜Ａ１２の値が示されており、表６の下段には、広角端（ワイド）および望遠端（テレ）の各場合における、可変間隔１（第１レンズ群Ｇ１と第２レンズ群Ｇ２との間隔）、可変間隔２（第２レンズ群Ｇ２と第３レンズ群Ｇ３との間隔）、可変間隔３（第３レンズ群Ｇ３と第４レンズ群Ｇ４との間隔）および可変間隔４（第４レンズ群Ｇ４と第５レンズ群Ｇ５との間隔）が示されている。
【００８８】
【表６】
0005101959.tif 000008
【００８９】
また、表７に実施例６における上記各条件式に対応する数値を示す。
【００９０】
図１２は実施例６の投写型ズームレンズの広角端（ワイド）および望遠端（テレ）における諸収差（球面収差、非点収差、ディストーションおよび倍率色収差）を示す収差図である。
【００９１】
この図１２から明らかなように、実施例６の投写型ズームレンズによれば、広角端での画角２ωが５９．６度と広角で、Ｆ値が１．７２と明るく、各収差、特に像面の倒れが良好に補正されている。
【００９２】
また、表７に示すように実施例６の投写型ズームレンズによれば、条件式（１）〜（５）が満足され、さらに条件式（２´）、（２´´）についても満足されている。
【００９３】
【表７】
0005101959.tif 000009
【図面の簡単な説明】
【００９４】
【図１】本発明の実施例１に係る投写型ズームレンズの広角端（ワイド）および望遠端（テレ）における構成を示す概略図
【図２】本発明の実施例２に係る投写型ズームレンズの広角端（ワイド）および望遠端（テレ）における構成を示す概略図
【図３】本発明の実施例３に係る投写型ズームレンズの広角端（ワイド）および望遠端（テレ）における構成を示す概略図
【図４】本発明の実施例４に係る投写型ズームレンズの広角端（ワイド）および望遠端（テレ）における構成を示す概略図
【図５】本発明の実施例５に係る投写型ズームレンズの広角端（ワイド）および望遠端（テレ）における構成を示す概略図
【図６】本発明の実施例６に係る投写型ズームレンズの広角端（ワイド）および望遠端（テレ）における構成を示す概略図
【図７】実施例１の投写型ズームレンズの諸収差（球面収差、非点収差、ディストーションおよび倍率色収差）を示す収差図
【図８】実施例２の投写型ズームレンズの諸収差（球面収差、非点収差、ディストーションおよび倍率色収差）を示す収差図
【図９】実施例３の投写型ズームレンズの諸収差（球面収差、非点収差、ディストーションおよび倍率色収差）を示す収差図
【図１０】実施例４の投写型ズームレンズの諸収差（球面収差、非点収差、ディストーションおよび倍率色収差）を示す収差図
【図１１】実施例５の投写型ズームレンズの諸収差（球面収差、非点収差、ディストーションおよび倍率色収差）を示す収差図
【図１２】実施例６の投写型ズームレンズの諸収差（球面収差、非点収差、ディストーションおよび倍率色収差）を示す収差図
【図１３】本発明の一実施形態に係る投写型表示装置の概略構成図
【図１４】本発明の変更形態に係る投写型表示装置の一部を説明するための概略構成図
【符号の説明】
【００９５】
Ｇ１〜Ｇ５    レンズ群
Ｌ１〜Ｌ８    レンズ
Ｒ１〜Ｒ２０      レンズ面等の曲率半径
Ｄ１〜Ｄ１９      レンズ面間隔（レンズ厚）
Ｘ    光軸
１    画像表示面
２    ガラスブロック（フィルタ部を含む）
３    開口絞り
４    マスク
１０    投写型ズームレンズ
１１ａ〜ｃ    透過型液晶パネル
１２、１３    ダイクロイックミラー
１４    クロスダイクロイックプリズム
１５ａ、ｂ    倍率色補正手段（レンズ）
１６ａ〜ｃ    コンデンサレンズ
１８ａ〜ｃ    全反射ミラー
２０    光源
【図１】
0005101959.tif 000010
【図２】
0005101959.tif 000011
【図３】
0005101959.tif 000012
【図４】
0005101959.tif 000013
【図５】
0005101959.tif 000014
【図６】
0005101959.tif 000015
【図７】
0005101959.tif 000016
【図８】
0005101959.tif 000017
【図９】
0005101959.tif 000018
【図１０】
0005101959.tif 000019
【図１１】
0005101959.tif 000020
【図１２】
0005101959.tif 000021
【図１３】
0005101959.tif 000022
【図１４】
0005101959.tif 000023